(57)【要約】      （修正有）【課題】車室の空調を図る上で、漏洩水素ガスの車室内への入り込みを防止する。【解決手段】車両１０は、第１ガスセンサー１４０にて車室前方領域３０の水素ガス濃度を検出する。そして、車室前方領域３０の水素ガス濃度が所定の第２基準濃度となるまでは、吸込空気切替スイッチ１７２や１７４等の操作に応じた空調を行い、水素ガス濃度が所定の第２基準濃度となると、吸込空気切替スイッチ１７２等の操作に拘わらず、内外気切替機構１８２の内気モードへの切替制御とブロアー１８４の停止制御のいずれかを実行する。【選択図】図１
2015063265.tif 000002
【特許請求の範囲】
【請求項１】
燃料ガスと酸化ガスとの供給とを受けて発電する燃料電池と、該燃料電池に供給する前記燃料ガスを貯留する燃料ガスタンクとを搭載した燃料電池搭載車両であって、
車室内空気と車室外空気のいずれかの空気を空調して車室内を空調制御する空調制御部と、
前記燃料電池と前記燃料ガスタンクの搭載領域から漏洩した燃料ガスの燃料ガス濃度を検出するガスセンサーとを備え、
前記空調制御部は、前記センサーの検出ガス濃度が所定の閾値濃度となるガス濃度特定状態が発現すると、前記車室内空気での空調を優先する優先制御を実行する
燃料電池搭載車両。
【請求項２】
前記ガスセンサーは、車両前方のフードの下方領域であって車室の前方を占める車室前方領域の燃料ガス濃度を検出する請求項１に記載の燃料電池搭載車両。
【請求項３】
前記空調制御部は、所定の閾値速度以下の速度で車両が前進走行している状況下で前記ガス濃度特定状態が発現すると、前記優先制御を実行する請求項２に記載の燃料電池搭載車両。
【請求項４】
請求項１から請求項３のいずれか一項に記載の燃料電池搭載車両であって、
車室内に配設されて操作者に操作され、該操作に応じた空調信号を出力する空調操作機器と、
空気を空調する空調機器への吸込空気を車室内空気と車室外空気のいずれかに切り替える内外切替機器と、
前記空調機器で空調済み空気を車室内に送風する送風機器とを備え、
前記空調制御部は、前記空調操作機器群の前記空調信号に応じて駆動制御するに当たり、前記ガス濃度特定状態が発現すると、前記内外切替機器と前記送風機器の少なくともいずれかを、前記車室外空気の車室への入り込みが抑制されるように前記空調信号に拘わらず駆動制御することで、前記優先制御を実行する
燃料電池搭載車両。
【請求項５】
前記空調制御部は、前記内外切替機器と前記送風機器の少なくともいずれかを前記空調信号に拘わらず駆動制御するに当たり、前記内外切替機器を前記空調機器への吸込空気を車室内空気に切替制御し、前記送風機器を風量ゼロを含む風量低減側に駆動制御する請求項４に記載の燃料電池搭載車両。
【発明の詳細な説明】
【技術分野】
【０００１】
本発明は、燃料電池搭載車両に関する。
【背景技術】
【０００２】
燃料電池搭載車両では、搭載した燃料電池やタンクから或いはこれらを繋ぐガス供給管路等から漏洩した水素ガスを車室内に入り込ませないようにするガス入り込み防止手法が提案されている（例えば、特許文献１）。
【先行技術文献】
【特許文献】
【０００３】
【特許文献１】特開２００９−２９２１９０号公報
【発明の概要】
【発明が解決しようとする課題】
【０００４】
この特許文献で提案された防止手法によれば、車両床の貫通孔を漏洩が起きると想定される箇所から離した上で、水素ガス漏洩が起きるとタンクからのガス供給を遮断している。しかしながら、車室の空調を考慮した上で漏洩水素ガスを車室内に入り込み難くすることについて、改善の余地が指摘されるに到った。この他、漏洩水素ガスを車室内に入り込み難くする構成や制御の簡便化、漏洩水素ガスが車室内に入り込み難い車両の製造コストの低減等を可能とすることも要請されている。
【課題を解決するための手段】
【０００５】
上記した課題の少なくとも一部を達成するために、本発明は、以下の形態として実施することができる。
【０００６】
（１）本発明の一形態によれば、燃料電池搭載車両が提供される。この燃料電池搭載車両は、燃料ガスと酸化ガスとの供給とを受けて発電する燃料電池と、該燃料電池に供給する前記燃料ガスを貯留する燃料ガスタンクとを搭載した燃料電池搭載車両であって、車室内空気と車室外空気のいずれかの空気を空調して車室内を空調制御する空調制御部と、前記燃料電池と前記燃料ガスタンクの搭載領域から漏洩した燃料ガスの燃料ガス濃度を検出するガスセンサーとを備える。そして、前記空調制御部は、前記センサーの検出ガス濃度が所定の閾値濃度となるガス濃度特定状態が発現すると、前記車室内空気での空調を優先する優先制御を実行する。
【０００７】
上記形態の燃料電池搭載車両は、空調制御部により、車室内空気と車室外空気のいずれかの空気を空調して車室内を空調制御しつつ、次のようにして車室内への不用意な燃料ガスの入り込みを防止する。
【０００８】
上記形態の燃料電池搭載車両において仮に燃料ガスの漏洩が起きたとすると、その漏洩した燃料ガス（以下、漏洩燃料ガス）は、漏洩箇所たる燃料電池と燃料ガスタンクの搭載領域から車両の各所に拡散し得る。こうして拡散した漏洩燃料ガスは、車室内の空調制御においてなんの対処もなされないと、空調対象となる車室外空気に混じり込んで、車室内に入り込むことが危惧される。上記形態の燃料電池搭載車両では、ガスセンサーにて漏洩燃料ガスの濃度を検出し、その検出ガス濃度が所定の閾値濃度となるガス濃度特定状態が発現すると、車室内空気での空調を優先する優先制御を実行するので、漏洩燃料ガスが混じり込み得る車室外空気は空調対象の空気から除外される。よって、上記形態の燃料電池搭載車両によれば、漏洩燃料ガスを、車室に入り込まないようにできる。
【０００９】
（２）上記の形態の燃料電池搭載車両において、前記ガスセンサーは、車両前方のフードの下方領域であって車室の前方を占める車室前方領域の燃料ガス濃度を検出するようにしてもよい。こうすれば、所定の閾値濃度のガス濃度で漏洩燃料ガスが車室前方領域に拡散していても、漏洩燃料ガス拡散済みの車室前方領域の空気（車室外空気）を空調対象から除外できる。よって、上記形態の燃料電池搭載車両によれば、車室前方領域に拡散済みの漏洩燃料ガスを、車室により確実に入り込まないようにできる。
【００１０】
（３）上記の形態の燃料電池搭載車両において、所定の閾値速度以下の速度で車両が前進走行している状況下で前記ガス濃度特定状態が発現すると、前記優先制御を実行するようにしてもよい。この形態の燃料電池搭載車両では、次の利点がある。
【００１１】
上記形態の燃料電池搭載車両において仮に燃料ガスの漏洩が起きたとすると、その漏洩燃料ガスは、既述したように車室前方領域に拡散して、この車室前方領域に存在する空気と共に、車室外空気として空調に処され得る。その一方、車両が前進走行している状況では、車両周辺では、車両前方から車両後方に向けて流れる空気流が発生し、この空気流は、車両前方のフード下方の車室前方領域においても発生し、空気流に乗った空気は、車室前方領域を通過した後に、車両床下に流れ込んだり、フードとフロントガラスの繋ぎ箇所であるカウルを経てフロントガラスに沿って車外に流れ出す。このようにして車両の前進走行に伴って発生する空気流は、前進車速が高まるほど、その流速が高まるので、前進車速が低速であると、車両前方のフード下方の車室前方領域に拡散した漏洩燃料ガスは、この車室前方領域に留まり勝ちとなる。
【００１２】
上記形態の燃料電池搭載車両では、上記した知見に立ち、所定の閾値速度以下で車両が前進走行している状況下において車室前方領域の漏洩ガス濃度が所定の閾値濃度となるガス濃度特定状態が発現すると、車室内空気の空調を優先するので、漏洩燃料ガスが拡散済みの車室前方領域の空気は空調対象から除外される。よって、上記形態の燃料電池搭載車両によれば、車室内へは、漏洩燃料ガスが拡散済みの車室前方領域の空気が車室外空気として空調されて入り込まない。この結果、上記形態の燃料電池搭載車両によれば、車室前方領域の漏洩ガス濃度が所定の閾値濃度となるまで、この車室前方領域に漏洩燃料ガスが留まっても、この車室前方領域に留まった漏洩燃料ガスを、車室に入り込まないようにできる。
【００１３】
その一方、所定の閾値速度を超えて車両が前進走行していれば、車室前方領域の漏洩ガス濃度が所定の閾値濃度となるガス濃度特定状態が発現しても、優先制御は実行されない。しかしながら、車両が所定の閾値速度を超えて前進走行している状況下では、既述した空気流が確実に発生していることから、車室前方領域に拡散済みの漏洩燃料ガスは、空気流により車室前方領域から車外に流れ出て、車室前方領域には留まり難くなる。よって、車両が所定の閾値速度を超えて前進走行している状況下では、車室前方領域の空気を空調して車室内に入り込ませても、車室内への漏洩燃料ガスの入り込みを抑制できる。
【００１４】
（４）上記の形態の燃料電池搭載車両において、車室内に配設されて操作者に操作され、該操作に応じた空調信号を出力する空調操作機器と、空気を空調する空調機器への吸込空気を車室内空気と車室外空気のいずれかに切り換える内外切替機器と、前記空調機器で空調済み空気を車室内に送風する送風機器とを備えた上で、前記空調制御部は、前記空調操作機器群の前記空調信号に応じて駆動制御するに当たり、前記ガス濃度特定状態が発現すると、前記内外切替機器と前記送風機器の少なくともいずれかを、前記車室外空気の車室への入り込みが抑制されるように前記空調信号に拘わらず駆動制御することで、前記車室内空気の空調を優先するようにしてもよい。こうすれば、操作者の空調操作機器の操作を経て、空調制御部により、空調操作機器からの空調信号に応じて、空調機器や、内外切替機器、送風機器が駆動制御される。これにより、上記形態の燃料電池搭載車両は、車室内を操作者の空調操作機器の操作意図、即ち操作者の空調意図に沿った環境に空調する。こうした車室内の空調を行いつつ、上記形態の燃料電池搭載車両は、車室内への不用意な燃料ガスの入り込みを次のように防止する。
【００１５】
上記形態の燃料電池搭載車両において仮に漏洩した漏洩燃料ガスは、車両前方のフード下方の車室前方領域に拡散して、この車室前方領域に留まり得る。上記形態の燃料電池搭載車両では、漏洩ガス濃度が所定の閾値濃度となるガス濃度特定状態が発現すると、内外切替機器と送風機器の少なくともいずれかを、車室外空気の車室への入り込みが抑制されるように空調信号に拘わらず駆動制御する。車室外空気は、車室前方領域の領域内空気そのものであったり、この領域内空気を含むので、内外切替機器と送風機器の少なくともいずれかは、車室前方領域の領域内空気の車室への入り込みが抑制されるように駆動制御されることになる。よって、上記形態の燃料電池搭載車両によれば、漏洩ガス濃度が所定の閾値濃度となるまで、車室前方領域に漏洩燃料ガスが留まっても、この車室前方領域に留まった漏洩燃料ガスを、内外切替機器と送風機器の少なくともいずれかの上記した駆動制御により、車室に入り込まないようにできる。しかも、この漏洩燃料ガスの車室への入り込み防止は、車両に備え付けの内外切替機器や送風機器を駆動制御することでなされるので、その機器構成や制御は簡便となると共に、新たな機器構成を必要としないので、低コスト化に寄与できる。
【００１６】
（５）上記形態の燃料電池搭載車両において、前記空調制御部は、前記内外切替機器と前記送風機器の少なくともいずれかを前記空調信号に拘わらず駆動制御するに当たり、前記内外切替機器を前記空調機器への空気の入り込みを車室内空気に切替制御し、前記送風機器を風量ゼロを含む風量低減側に駆動制御するようにしてもよい。この形態の燃料電池搭載車両では、内外切替機器の切替制御により、空調機器には車室内空気を入り込ませ、空調機器には車室前方領域の領域内空気を入り込ませないので、漏洩燃料ガスの車室への入り込み防止の実効性を高めることができる。送風機器の風量ゼロを含む風量低減側への駆動制御によっても、漏洩燃料ガスの車室への入り込み防止の実効性を高めることができる。この場合、送風機器の風量ゼロに駆動制御すれば、漏洩燃料ガスの車室への入り込みをより確実に防止できる。
【００１７】
なお、本発明は、種々の形態で実現することが可能であり、例えば、燃料電池搭載車両における空調方法等の形態で実現することができる。
【図面の簡単な説明】
【００１８】
【図１】本発明の実施形態としての車両１０の構成を概略的に示す説明図である。
【図２】車室内流入制限制御での処理内容を表すフローチャートである。
【図３】他の実施形態での車室内流入制限制御の処理内容を表すフローチャートである。
【図４】また別の実施形態での車室内流入制限制御の処理内容を表すフローチャートである。
【図５】制御装置２００の記憶領域に予め記憶済みの車速・水素濃度対応マップを示すグラフである。
【発明を実施するための形態】
【００１９】
以下、本発明の実施の形態について、図面に基づき説明する。図１は本発明の実施形態としての車両１０の構成を概略的に示す説明図である。本実施形態の車両１０は、燃料電池１００と、第１ガスタンク１１１と、第２ガスタンク１１２と、第１ガスセンサー１４０と、第２ガスセンサー１５０と、報知ランプ１６０と、空調設定スイッチ群１７０と、エアコンユニット１８０と、制御装置２００とを備える。燃料電池１００は、車室２０を区画するアンダーボディー１１の下方側、即ち車室２０の床下の前輪ＦＷと後輪ＲＷとの間に搭載され、水素ガスと酸化ガスとの供給とを受けて発電する。その発電電力は、後述の制御装置２００にて図示しないモーターに伝達され、車両１０の駆動力として用いられる。
【００２０】
第１ガスタンク１１１と第２ガスタンク１１２の両ガスタンクは、車両幅方向に延びるよう、アンダーボディー１１の下方に横置き搭載され、車両前後方向においては、燃料電池１００より後輪ＲＷの側に搭載され、水素ガスを貯留する。第２ガスタンク１１２は、向かい合う後輪ＲＷの間において、後輪ＲＷの車軸と干渉しないよう横置き搭載されている。第１ガスタンク１１１は、燃料電池１００と第２ガスタンク１１２との中間位置に横置き搭載され、燃料電池１００とは、水素第１供給管１２１にて接続されている。第１ガスタンク１１１と第２ガスタンク１１２との間には、開閉バルブ１２３を介在させて水素第２供給管１２２が配設されている。水素第１供給管１２１と水素第２供給管１２２は、開閉バルブ１２３を含めてガス供給系を構成し、上記両タンクの口金に付属の図示しないガス供給弁（主弁）と開閉バルブ１２３の制御装置２００による駆動制御下で、第１ガスタンク１１１と第２ガスタンク１１２の両ガスタンクから、水素ガスを燃料電池１００に供給する。なお、第１ガスタンク１１１と第２ガスタンク１１２へのガス充填は、図示しないガスステーションにてガス供給管がガス供給ポート１１６に接続されることでなされる。
【００２１】
第１ガスセンサー１４０と第２ガスセンサー１５０の両ガスセンサーは、例えば、接触燃焼式、定電位電解式、気体熱電動式、赤外線吸収式等の水素ガス濃度を定量的に検出可能な水素センサーとされている。第１ガスセンサー１４０は、アンダーボディー１１により車室２０と車両前方側にて区画された車室前方領域３０に配設されて、フード２６とフロントガラスの繋ぎ箇所であるカウル２７の近傍に位置する。そして、この第１ガスセンサー１４０は、車室前方領域３０における車室寄り側で当該領域の上方にて、車室前方領域３０の水素ガス濃度ｓ１を検出し、その検出信号を後述の制御装置２００に出力する。この場合、車室前方領域３０は、図示するように、車両前方のフード２６の下方領域でもある。第２ガスセンサー１５０は、燃料電池１００から第２ガスタンク１１２に掛けてアンダーボディー１１にて車室２０と区画された車室床下領域４０に配設され、この車室床下領域４０の水素ガス濃度ｓ２を検出し、その検出信号を制御装置２００に出力する。本実施形態では、第２ガスセンサー１５０を、車室床下領域４０のうちの開閉バルブ１２３の上方に設けた。このように第２ガスセンサー１５０を開閉バルブ１２３の上方に配置することで、水素第１供給管１２１と水素第２供給管１２２で構成されるガス供給系におけるガス漏洩箇所がガス管路経路やタンク口金バルブ或いは開閉バルブ１２３のいずれであっても、そのガス漏洩を検出できる。
【００２２】
報知ランプ１６０は、車室２０のインストルメントパネル（以下、インパネ５０と称する）に配設され、後述の制御装置２００の制御下で点灯する。報知ランプ１６０は、継続点灯は元より点滅点灯や異なる色での点灯が可能に構成され、制御装置２００にて規定された点灯状態で点灯する。
【００２３】
空調設定スイッチ群１７０は、インパネ５０に配設され、吸込空気切替スイッチ１７２と、風量調整スイッチ１７４の他、エアコンのオン・オフを設定する図示しないエアコンスイッチ、空気の吹出口を選択する吹出選択スイッチ等を備え、操作者に操作されたこれら各種スイッチのスイッチ信号を後述の制御装置２００に出力する。吸込空気切替スイッチ１７２は、後述のエアコンユニット１８０に導き入れる吸込空気を、車室２０の内部の内気（以下、単に内気と称する）と、車室外空気、詳しくは車室前方領域３０における空気を含む外気（以下、単に外気と称する）のいずれかに設定する。この吸込空気切替スイッチ１７２は、操作者が自らの空調意図に応じて操作したスイッチ操作状況により、内気モード或いは外気モードのモード選択信号を制御装置２００に出力する。風量調整スイッチ１７４は、後述のエアコンユニット１８０が備えるブロアー１８４による吹出風量を設定する。この風量調整スイッチ１７４は、操作者が自らの空調意図に応じて操作したスイッチ操作状況により吹出風量を設定し、その設定した吹出風量に合致した風量信号を制御装置２００に出力する。
【００２４】
エアコンユニット１８０は、車室２０の前方側に配置され、内気と外気のいずれかの空気を空調し、空調済み空気を車室２０に吹き出すよう構成され、内外気切替機構１８２と、ブロアー１８４と、吹出口変更機構１８６と、空調機器群１９０の一部機器とを有する。内外気切替機構１８２は、操作者の操作を経て吸込空気切替スイッチ１７２の出力したモード選択信号に応じて制御装置２００にて駆動制御され、エアコンユニット１８０に収納された空調機器群１９０の空調機器への吸込空気を内気或いは外気に切り替える。ブロアー１８４は、操作者の操作を経て風量調整スイッチ１７４の出力した風量信号に応じて制御装置２００にて駆動制御され、空調機器群１９０にて空調済み空気を、風量調整スイッチ１７４で設定された風量で車室２０に送風する。吹出口変更機構１８６は、制御装置２００にて駆動制御され、図示しない吹出選択スイッチで設定された吹出口に、空調済み空気を導く。
【００２５】
空調機器群１９０は、エアコンユニット１８０の外部に配設されたコンデンサー１９１と、ファン１９２と、コンプレッサー１９３と、ユニット内のエバポレーター１９４と、ヒーターコア１９５とを備える。コンデンサー１９１とコンプレッサー１９３とエバポレーター１９４は、図示しない冷媒管路にて冷媒循環系を構成し、ブロアー１８４が吹き出した空気を冷風化する。ヒーターコア１９５は、図示しない熱源からの熱にて温風化するので、空調機器群１９０は、冷風と温風の風量比を調整することで、種々の温度に調整済みの空調空気を吹出口変更機構１８６に送り出す。空調機器群１９０を構成する上記の各空調機器は、制御装置２００にて駆動制御され、図示しない温度設定スイッチで設定された温度に吸込空気を空調する。
【００２６】
制御装置２００は、マイクロコンピュータを中心とした論理回路として構成され、詳しくは、予め設定された制御プログラムに従って所定の演算などを実行する図示しないＣＰＵや、ＣＰＵで各種演算処理を実行するのに必要な制御プログラムや制御データ等が予め格納された図示しないＲＯＭと、同じくＣＰＵで各種演算処理をするのに必要な各種データが一時的に読み書きされる図示しないＲＡＭと、各種信号を入出力する図示しない入出力ポート等を備える。この制御装置２００は、車室前方領域３０に組み込み固定・保持され、既述した第１ガスセンサー１４０や第２ガスセンサー１５０、空調設定スイッチ群１７０の吸込空気切替スイッチ１７２や風量調整スイッチ１７４の他、図示しない車速センサー、アクセルセンサー等のセンサー検出値を入力し、これらセンサー検出値に基づいた燃料電池１００の発電制御、詳しくは燃料電池１００への水素ガス供給制御、発電電力の放出制御、エアコンユニット１８０による空調制御、車室内流入制限制御等、車両１０の全体を統括制御する。なお、燃料電池１００の運転や車両走行といった車両１０の根幹となる各種制御については、制御装置２００と別の制御装置にて実行し、制御装置２００を、エアコンユニット１８０等を用いた車室内流入制限制御等の空調関連制御を行うものとしてもよい。
【００２７】
次に、本実施形態の車両１０にて行われる車室内流入制限制御について説明する。図２は車室内流入制限制御での処理内容を表すフローチャートである。この車室内流入制限制御は、図示しないイグニッションキーがオン操作されてから所定時間毎に繰り返し実行され、制御装置２００は、まず、第１ガスセンサー１４０から車室前方領域３０の水素ガス濃度ｓ１を入力し（ステップＳ１００）、その入力した水素ガス濃度ｓ１が第１基準濃度ｓ０１以上であるか否かを判定する（ステップＳ１１０）。この第１基準濃度ｓ０１は、水素の引火濃度の下限値（４．０％）を考慮して予め規定されており、本実施形態では、３．０〜４．０％の範囲内のガス濃度とした。
【００２８】
仮に第１ガスタンク１１１や第２ガスタンク１１２の周辺で水素ガスの漏洩が起き、その漏洩水素ガスが車室床下領域４０の側から車室前方領域３０の側へ拡散していれば、第１ガスセンサー１４０の水素ガス濃度ｓ１は、上昇する。そして、水素ガス濃度ｓ１は、車室前方領域３０への漏洩水素ガスの拡散が進むほど大きくなる。こうしたことから、ステップＳ１１０にて否定判定される状況は、車室前方領域３０に仮に漏洩水素ガスが拡散していても第１基準濃度ｓ０１（３．０〜４．０％）を下回る低濃度の漏洩水素ガスしか車室前方領域３０には存在しないことになる。
【００２９】
本実施形態の車両１０では、制御装置２００は、ステップＳ１１０の否定判定に続き、水素ガス濃度ｓ１を第２基準濃度ｓ０２と対比し、水素ガス濃度ｓ１が第２基準濃度ｓ０２を下回るか否かを判定する（ステップＳ１１５）。この第２基準濃度ｓ０２は、車室前方領域３０まで漏洩拡散した水素ガスが仮に車室２０に入り込んでも操作者に違和感を与えない水素ガス濃度を考慮して予め規定されており、本実施形態では、１．０％とした。つまり、漏洩水素ガスが第１基準濃度ｓ０１を下回る低濃度でしか車室前方領域３０に拡散していない場合であっても（ステップＳ１１０：否定判定）、車室２０への流入が望ましくないことがあるとして、制御装置２００は、更にステップＳ１１５での濃度対比を行う。そして、ステップＳ１１５にて肯定判定すると、車室前方領域３０に仮に漏洩水素ガスが拡散していても第２基準濃度ｓ０２（１．０％）を下回る極低濃度の漏洩水素ガスしか車室前方領域３０には存在しない、或いは車室前方領域３０には漏洩水素ガスは全く存在しないことになる。こうしたことから、制御装置２００は、漏洩水素ガスの車室２０内への流入制限は無用であるとして、それ以前になされていたガス漏洩報知とガス供給停止との解除（ステップＳ１１６）と、吸込空気制限の解除（ステップＳ１１９）とを順次実行して、一旦本ルーチンを終了する。これにより、ステップＳ１１５での肯定判定以降（ｓ１＜ｓ０２＝１．０％）では、制御装置２００は、操作者が自らの空調意図に沿って操作した吸込空気切替スイッチ１７２等の出力信号に適った空調制御を空調機器群１９０等にて実行する。この際の空調制御は、吸込空気切替スイッチ１７２や風量調整スイッチ１７４等の出力信号を入力して空調機器群１９０等の機器駆動を行う図示しない空調制御ルーチンにてなされる。また、制御装置２００は、操車者のアクセル操作に応じたガス供給を図示しない走行制御ルーチンに従って実行する。
【００３０】
以下の説明に当たっては、車室前方領域３０への漏洩水素ガスの拡散が徐々に進んで水素ガス濃度ｓ１が大きくなる拡散拡大状況と、水素ガスの漏洩自体が収まって、或いは車室前方領域３０に拡散済みの漏洩水素ガスがカウル２７等から車外に放出されて車室前方領域３０における水素ガス濃度ｓ１が低減に転ずる拡散収束状況とを使い分けて説明する。拡散拡大状況では、第１ガスセンサー１４０の水素ガス濃度ｓ１は、濃度ゼロから高まり、やがて第２基準濃度ｓ０２に達する。水素ガス濃度ｓ１が第２基準濃度ｓ０２に達するまでの拡散拡大状況では、ステップＳ１１０では否定判定され、ステップＳ１１５にあっては肯定判定されるので、制御装置２００は、ステップＳ１１６に移行して、それ以前になされていたガス漏洩報知と、ガス供給停止との解除（ステップＳ１１６）と、吸込空気制限の解除（ステップＳ１１９）とを順次実行して、一旦本ルーチンを終了する。これにより、ステップＳ１１５での肯定判定以降の空調制御では、既述したように吸込空気切替スイッチ１７２、風量調整スイッチ１７４等の出力信号に適うよう空調機器群１９０等が制御される。
【００３１】
また、第１ガスセンサー１４０の水素ガス濃度ｓ１が第２基準濃度ｓ０２を超える拡散拡大状況では、ステップＳ１１０では否定判定され、ステップＳ１１５にあっても否定判定され、後述のステップＳ１２０以降の流入制限に関与する制御がなされる。つまり、水素ガス濃度ｓ１が第２基準濃度ｓ０２（０．１％）となるガス濃度特定状態が発現すると、或いは水素ガス濃度ｓ１が第２基準濃度ｓ０２を超えて第１基準濃度ｓ０１（３．０〜４．０％）に達するまでの間は、車室前方領域３０には、低濃度ではあるものの、漏洩水素ガスが拡散していることになる。よって、制御装置２００は、ステップＳ１１５での否定判定に続いては、低濃度であるとは言え、水素ガスの漏洩報知を行うべく、まず、ステップＳ１２０において、報知ランプ１６０の点灯制御を通して、水素ガスの漏洩危惧の旨を報知する。報知ランプ１６０の点灯制御は、水素ガス濃度ｓ１が第２基準濃度ｓ０２以下となってステップＳ１１６にて報知解除されるまで継続され、報知ランプ１６０の点灯状態を水素ガス濃度ｓ１に応じて変更してもよい。例えば、水素ガス濃度ｓ１が大きくなるほど点滅周期が短くなるように、報知ランプ１６０を点灯制御してもよい。また、報知ランプ１６０による点灯報知に加え、或いはこれに代え、インパネ５０に組み込み済みの図示しない音響機器や表示機器にて、水素ガスの漏洩が危惧される旨を音声や文字表示或いは記号表示にて報知してもよい。
【００３２】
制御装置２００は、ステップＳ１２０での漏洩報知に続き、漏洩水素ガスの車室２０内への流入制限を行うべく、エアコンユニット１８０への内気優先処理を実行する（ステップＳ１３０）。この内気優先処理では、内外気切替機構１８２の切替制御を得た吸込空気の切替（Ｓ１処理）と、ブロアー１８４の風量制御を経た吹出風量のゼロ推移（Ｓ２処理）の少なくとも一方の処理が実行され、本ルーチンを終了する。ステップＳ１３０におけるＳ１処理では、制御装置２００は、操作者による吸込空気切替スイッチ１７２の操作状況に拘わらず、即ち、操作者の操作を経て吸込空気切替スイッチ１７２が出力する内気モード或いは外気モードのモード選択信号に拘わらず、内外気切替機構１８２を内気モードに切替制御することを優先する。ステップＳ１３０におけるＳ２処理では、制御装置２００は、操作者による風量調整スイッチ１７４の操作状況に拘わらず、即ち、操作者の操作を経て風量調整スイッチ１７４が出力する風量信号に拘わらず、ブロアー１８４を風量ゼロとなるよう停止制御することを優先する。
【００３３】
第１ガスセンサー１４０の水素ガス濃度ｓ１が更に高まり第１基準濃度ｓ０１（３．０〜４．０％）を超える拡散拡大状況、或いは第１ガスセンサー１４０の水素ガス濃度ｓ１が第１基準濃度ｓ０１を超えたままであったり、第１基準濃度ｓ０１を超えていた水素ガス濃度ｓ１が第１基準濃度ｓ０１に近づく拡散収束状況では、ステップＳ１１０では肯定判定される。このステップＳ１１０での肯定判定は、第１基準濃度ｓ０１（３．０〜４．０％）を超える高濃度で漏洩水素ガスが車室前方領域３０に拡散済みであることから、制御装置２００は、燃料電池１００へのガス供給を停止して（ステップＳ１４０）、本ルーチンを終了する。つまり、制御装置２００は、第１基準濃度ｓ０１（３．０〜４．０％）を超える高濃度での水素ガス漏洩が起きていることから、これ以上の漏洩を回避すべく、第１ガスタンク１１１と第２ガスタンク１１２の両タンクの口金に付属の供給弁を閉弁制御すると共に、開閉バルブ１２３についてもこれを閉弁制御する。図示しない空気供給系についても、空気供給を絶つ。これにより、現状を超える水素ガス漏洩を起こさないようにする。制御装置２００は、ステップＳ１４０のガス供給停止後において、車両１０が搭載する図示しないバッテリーでの車両走行を図るべく、バッテリーから図示しない駆動モーターに電力を供給する。この場合、ステップＳ１１０での肯定判定（ｓ１≧ｓ０１＝３．０〜４．０％）がなされる前において、既にステップＳ１１５では一旦、否定判定（ｓ１＞ｓ０２＝１．０％）されている。よって、ステップＳ１４０でのガス供給停止は、ガス漏洩報知（ステップＳ１２０）と吸込空気の制限制御（ステップＳ１３０）とが既に実行されている状況下にてなされる。
【００３４】
第１ガスセンサー１４０の水素ガス濃度ｓ１が第１基準濃度ｓ０１を下回る拡散収束状況では、ステップＳ１１０では否定判定される。そして、水素ガス濃度ｓ１が第２基準濃度ｓ０２まで更に小さくなる拡散収束状況では、ステップＳ１１５での否定判定を経て、既述したステップＳ１２０以降の流入制限に関与する制御が継続される。その一方、水素ガス濃度ｓ１が第２基準濃度ｓ０２以下まで更に小さくなる拡散収束状況では、ステップＳ１１５での肯定判定を経て、制御装置２００は、ステップＳ１１６に移行する。つまり、車室前方領域３０の水素ガス濃度ｓ１が第２基準濃度ｓ０２以下である拡散拡大状況と、車室前方領域３０に拡散済みの漏洩水素ガスが第２基準濃度ｓ０２以下の水素ガス濃度ｓ１まで低減した拡散収束状況とにおいては、制御装置２００により、操作者が自らの空調意図に沿って操作した吸込空気切替スイッチ１７２等の出力信号に適った空調制御がなされることになる（ステップＳ１１６）。
【００３５】
以上説明したように、本実施形態の車両１０では、空調設定スイッチ群１７０に含まれる吸込空気切替スイッチ１７２や風量調整スイッチ１７４等が操作者に操作されると、制御装置２００により、吸込空気切替スイッチ１７２の出力したモード選択信号や風量調整スイッチ１７４の出力した風量信号に応じて、エアコンユニット１８０の内外気切替機構１８２やブロアー１８４、空調機器群１９０の各空調機器を駆動制御する。これにより、車両１０の制御装置２００は、車室２０内を操作者の各種スイッチの操作意図、即ち操作者の空調意図に沿った環境に空調する。こうした車室内の空調を行いつつ、本実施形態の車両１０は、車室内への不用意な漏洩水素ガスの入り込みを図２の車室内流入制限制御により防止する。
【００３６】
燃料電池１００や第１ガスタンク１１１、第２ガスタンク１１２等の搭載箇所である車室床下領域４０にて仮に水素ガスの漏洩が起き、その漏洩水素ガスが車室前方領域３０に拡散すると、この漏洩水素ガスは、空調対象となる車室前方領域３０における空気（車室外空気）に混じり込む。本実施形態の車両１０は、車室前方領域３０における漏洩水素ガスの濃度を第１ガスセンサー１４０にて検出し（水素ガス濃度ｓ１）、その水素ガス濃度ｓ１が漏洩水素ガスの拡散に起因して第２基準濃度ｓ０２となると（ステップＳ１１５：否定判定）、内外気切替機構１８２の切替制御を得た吸込空気の切替（Ｓ１処理）と、ブロアー１８４の風量制御を経た吹出風量のゼロ推移（Ｓ２処理）の少なくとも一方の処理を実行して（ステップＳ１３０）、車室内空気での空調を優先する。よって、本実施形態の車両１０によれば、漏洩水素ガスが拡散済みの車室前方領域３０の空気たる車室外空気については、これを空調対象から除外するので、車室前方領域３０に拡散した漏洩水素ガスを、車室２０により確実に入り込まないようにできる。
【００３７】
本実施形態の車両１０は、第１ガスセンサー１４０にて検出した車室前方領域３０の水素ガス濃度ｓ１が所定の第２基準濃度ｓ０２となると（ステップＳ１１５：否定判定）、内外気切替機構１８２の内気モードへの切替制御と、ブロアー１８４の停止制御（ステップＳ１３０）とを実行する。この内外気切替機構１８２の内気モードへの切替制御は、操作者の操作を経て吸込空気切替スイッチ１７２が出力する内気モード或いは外気モードのモード選択信号に拘わらず実行され、エアコンユニット１８０への吸込空気を車室２０の内気とする。ブロアー１８４の停止制御は、操作者の操作を経て風量調整スイッチ１７４が出力する風量信号に拘わらず実行され、エアコンユニット１８０から車室２０への空調済み空気の送り込み自体が停止される。よって、本実施形態の車両１０によれば、車室前方領域３０に漏洩水素ガスが第２基準濃度ｓ０２となるまで仮に留まったとしても、この車室前方領域３０に留まった漏洩水素ガスの車室２０への入り込みを、内外気切替機構１８２の内気モードへの切替制御と、ブロアー１８４の停止制御とにより、確実に抑制できる。しかも、この漏洩水素ガスの車室２０への入り込み防止は、車両１０にほぼ標準装備として備え付けの内外気切替機構１８２やブロアー１８４を駆動制御することでなされるので、その機器構成や制御は簡便となると共に、新たな機器構成を必要としないので、車両１０の低コスト化を達成できる。
【００３８】
本実施形態の車両１０は、車室前方領域３０の水素ガス濃度ｓ１が濃度ゼロから高まって第２基準濃度ｓ０２に達するまでの拡散拡大状況と、車室前方領域３０に拡散済みの漏洩水素ガスが第２基準濃度ｓ０２以下の水素ガス濃度ｓ１まで低減した拡散収束状況とにおいて、制御装置２００により、操作者が自らの空調意図に沿って操作した吸込空気切替スイッチ１７２等の出力信号に適った空調制御を空調機器群１９０等にて実行する（ステップＳ１１６）。よって、上記の拡散拡大状況と拡散収束状況とにおいて、操作者に違和感を与え難くできる。
【００３９】
本実施形態の車両１０は、内外気切替機構１８２を内気モードに切替制御するので、車室前方領域３０の領域内空気を含む外気自体を、エアコンユニット１８０にそもそも吸い込ませない。また、ブロアー１８４を停止制御して、エアコンユニット１８０から車室２０への空調済み空気の送り込み自体を停止する。この結果、本実施形態の車両１０によれば、車室前方領域３０に仮に漏洩水素ガスが拡散したとしても、その漏洩燃料ガスの車室への入り込み防止の実効性を高めることができる。
【００４０】
本実施形態の車両１０は、車室前方領域３０の水素ガス濃度ｓ１が第２基準濃度ｓ０２（１．０％）以上であると（ステップＳ１１５：否定判定）、その濃度は水素の引火濃度の下限値（４．０％）よりは低いものの、車室前方領域３０までの漏洩水素ガスの拡散が起きているので、報知ランプ１６０の点灯制御を通して、水素ガスの漏洩危惧の旨を報知する（ステップＳ１２０）。この結果、本実施形態の車両１０によれば、水素ガスの漏洩危惧の旨の報知を通して、第１ガスタンク１１１や第２ガスタンク１１２、或いはこれらを繋ぐ水素第１供給管１２１、水素第２供給管１２２、開閉バルブ１２３等の保守点検を図ることを可能とする。
【００４１】
本実施形態の車両１０は、車室前方領域３０の水素ガス濃度ｓ１が第１基準濃度ｓ０１（３．０〜４．０％）以上であると（ステップＳ１１０：肯定判定）、その濃度は水素の引火濃度の下限値（４．０％）に近いことから、燃料電池１００へのガス供給の停止（ステップＳ１４０）を行う。これにより、本実施形態の車両１０によれば、現状を超える水素ガス漏洩を起こさないようにできる他、バッテリーでの車両１０の走行を可能とする。水素ガス濃度ｓ１が第１基準濃度ｓ０１（３．０〜４．０％）以上となる以前において  水素ガスの漏洩危惧の旨を報知した際（ステップＳ１２０）、車両１０は通常、走行中であることから、操作者が車両１０を速やかに保守点検工場やガスステーションに持ち込めないことも有り得る。本実施形態の車両１０は、水素ガスの漏洩進行をガス供給停止により回避した上で、バッテリーでの車両走行により、保守点検工場やガスステーションまで車両１０を継続走行させることができる。
【００４２】
次に、他の実施形態で行われる車室内流入制限制御について説明する。図３は他の実施形態での車室内流入制限制御の処理内容を表すフローチャートである。この車室内流入制限制御は、前進走行している車両１０の前進車速ｖを考慮する点に特徴がある。図示するように、この実施形態での車室内流入制限制御では、ステップＳ１１５での肯定判定（ｓ１＜ｓ０２＝１．０％）に続くガス漏洩報知とガス供給停止との解除（ステップＳ１１６）の後に、図示しない車速センサーから現在の車速（前進車速ｖ）を入力する（ステップＳ１１７）。ステップＳ１１７での前進車速ｖの入力に続き、制御装置２００は、前進車速ｖと基準車速ｖ０とを対比し、前進車速ｖが基準車速ｖ０を下回るか否かを判定する（ステップＳ１１８）。
【００４３】
ステップＳ１１８における基準車速ｖ０は、車両１０が前進走行している状況で車両周辺に車両前方から車両後方に向けて発現する空気流を考慮して予め定められており、本実施形態では、５〜１０ｋｍ／ｈの範囲内の車速とした。つまり、基準車速ｖ０（５〜１０ｋｍ／ｈ）以上の車速で車両１０が前進走行していれば、車両前方から車両後方に向けての空気流は必然的に発現すると共に、車室床下領域４０の漏洩水素ガスは、上記の空気流の影響を受けて、車室床下領域４０の側から車室前方領域３０の側へは拡散し難くなると想定される。
【００４４】
また、基準車速ｖ０（５〜１０ｋｍ／ｈ）以上の車速で車両１０が前進走行していることで発現する空気流は、車室前方領域３０においても流れ、空気流に乗った空気は、車室前方領域３０を通過した後に、車室床下領域４０に流れ込むほか、フード２６とフロントガラスの繋ぎ箇所であるカウル２７を経てフロントガラスに沿って車外に流れ出す。こうした空気流は、前進車速が高まるほど、その流速が高まるので、前進車速ｖが高速であれば、車室前方領域３０に漏洩水素ガスが拡散しても、その漏洩水素ガスは、この車室前方領域３０に留まり難くなる。よって、前進車速ｖと対比する基準車速ｖ０を車室前方領域３０に漏洩水素ガスの留まりが起き難い速度に規定することで、ステップＳ１１８で否定判定（ｖ≧ｖ０）した状況では、前進車速ｖが大きい故に車室前方領域３０には漏洩水素ガスはごく少量に過ぎなくなる。よって、制御装置２００は、ステップＳ１１８にて否定判定すると、漏洩水素ガスの車室２０内への流入制限は無用であるとして、吸込空気制限の解除（ステップＳ１１９）に移行して、一旦本ルーチンを終了する。
【００４５】
その一方、ステップＳ１１８にて肯定判定（ｖ＜ｖ０）すると、制御装置２００は、車両１０は基準車速ｖ０（５〜１０ｋｍ／ｈ）を下回る低速で前進走行していることから、既述した空気流は弱いために、漏洩水素ガスは車室前方領域３０の側に拡散し易く、この車室前方領域３０に留まり易くなる。よって、制御装置２００は、漏洩水素ガスの車室２０内への流入制限を行うべく内気優先処理のステップＳ１３０に移行して、内外気切替機構１８２の切替制御を得た吸込空気の切替（Ｓ１処理）と、ブロアー１８４の風量制御を経た吹出風量のゼロ推移（Ｓ２処理）の少なくとも一方の処理を実行する。
【００４６】
以上説明したように、この実施形態の図３の車室内流入制限制御によれば、ステップＳ１１５で肯定判定するほど水素ガス濃度ｓ１が低濃度（ｓ１＜ｓ０２＝１．０％）であっても、車両１０が基準車速ｖ０（５〜１０ｋｍ／ｈ）を下回る低速で前進走行している状況下（ステップＳ１１８：肯定判定）であれば、内外気切替機構１８２の内気モードへの切替制御（ステップＳ１３０：Ｓ１処理）と、ブロアー１８４の停止制御（ステップＳ１３０：Ｓ１処理）のいずれかを実行する。この内外気切替機構１８２の内気モードへの切替制御は、操作者の操作を経て吸込空気切替スイッチ１７２が出力する内気モード或いは外気モードのモード選択信号に拘わらず実行され、エアコンユニット１８０への吸込空気を車室２０の内気とする。ブロアー１８４の停止制御は、操作者の操作を経て風量調整スイッチ１７４が出力する風量信号に拘わらず実行され、エアコンユニット１８０から車室２０への空調済み空気の送り込み自体が停止される。よって、この実施形態の車両１０によれば、車両１０が基準車速ｖ０（５〜１０ｋｍ／ｈ）を下回る低速で前進走行している故に、車室前方領域３０に漏洩水素ガスが第２基準濃度ｓ０２となるまで仮に留まったとしても、この車室前方領域３０に留まった漏洩水素ガスの車室２０への入り込みを、内外気切替機構１８２の内気モードへの切替制御と、ブロアー１８４の停止制御のいずれかにより、確実に抑制できる。その一方、車両１０が基準車速ｖ０（５〜１０ｋｍ／ｈ）以上の速度で前進走行していれば、操作者が自らの空調意図に沿って操作した吸込空気切替スイッチ１７２等の出力信号に適った空調制御を空調機器群１９０等にて実行する。この他、この実施形態であっても、コスト低下等、既述した効果を奏することができる。
【００４７】
次に、また別の実施形態で行われる車室内流入制限制御について説明する。図４はまた別の実施形態での車室内流入制限制御の処理内容を表すフローチャートである。この車室内流入制限制御は、前進走行している車両１０の前進車速ｖと車室前方領域３０にて第１ガスセンサー１４０が検出した水素ガス濃度ｓ１とを対比した車速・水素濃度対応マップを用いる点に特徴がある。図示するように、この実施形態での車室内流入制限制御では、ステップＳ１１０での否定判定（ｓ１＜ｓ０１＝３．０〜４．０％）に続き、ガス漏洩報知とガス供給停止との解除（ステップＳ１１６）と、吸込空気制限の解除（ステップＳ１１９）とを順次実行して、一旦本ルーチンを終了する。これにより、ステップＳ１１０での否定判定以降（ｓ１＜ｓ０１＝３．０〜４．０％）では、制御装置２００は、操作者が自らの空調意図に沿って操作した吸込空気切替スイッチ１７２等の出力信号に適った空調制御を空調機器群１９０等にて実行する。つまり、この実施形態の車室内流入制限制御では、第２基準濃度ｓ０２（１．０％）との対比を経ることなく、ステップＳ１１６以降の処理を行い、吸込空気切替スイッチ１７２や風量調整スイッチ１７４等の操作状況に応じた空調機器群１９０等の機器駆動と、操車者のアクセル操作に応じたガス供給を伴う走行制御を実行する。
【００４８】
その一方、ステップＳ１１０で肯定判定すると（ｓ１≧ｓ０１＝３．０〜４．０％）、既述した報知ランプ１６０の点灯制御を通したガス漏洩報知（ステップＳ１２０）と、燃料電池１００へのガス供給停止（ステップＳ１４０）とに続いて、制御装置２００は、車速センサーから現在の車速（前進車速ｖ）を入力し（ステップＳ１４２）、その入力した前進車速ｖと、ステップＳ１００で入力済みの水素ガス濃度ｓ１とを、車速・水素濃度対応マップに対比する（ステップＳ１４４）。図５は制御装置２００の記憶領域に予め記憶済みの車速・水素濃度対応マップを示すグラフである。この車速・水素濃度対応マップは、横軸を第１ガスセンサー１４０の検出した水素ガス濃度ｓ１とし、縦軸を車速センサーの検出した前進車速ｖとして、対応させたものであり、水素ガス濃度ｓ１が１．０〜４．０％の範囲であって５ｋｍ／ｈ以下の前進車速ｖの領域は、車室２０への漏洩水素ガスの流入制限が必要な流入制限領域であることを示す。また、この車速・水素濃度対応マップは、水素ガス濃度ｓ１が４．０％以上となると、どのような前進車速ｖ（車速＝０の車両停止を含む）であっても、流入制限領域であることを示す。この他、上記した流入制限領域とならない車速・ガス濃度対応領域については、水素ガス濃度ｓ１が低濃度である故、或いは高速で前進走行中である故に、既述したように車室２０への漏洩水素ガスの流入制限を考慮する必要がなく、吸込空気切替スイッチ１７２等の操作に順応した空調制御を行えば足りる操作順応領域であることを示す。
【００４９】
制御装置２００は、ステップＳ１４６での車速・水素濃度対応マップとの対比により、前進車速ｖと水素ガス濃度ｓ１とが図５の流入制限領域に属すると肯定判定すると、ステップＳ１３０と同様の内気優先処理として、内外気切替機構１８２の切替制御を得た吸込空気の切替（Ｓ１処理）と、ブロアー１８４の風量制御を経た吹出風量のゼロ推移（Ｓ２処理）の少なくとも一方の処理を実行し（ステップＳ１５０）、一旦、本ルーチンを終了する。その一方、前進車速ｖと水素ガス濃度ｓ１とが操作順応領域に属すると否定判定すると、漏洩水素ガスの車室２０内への流入制限は無用であるとして、ステップＳ１１６に移行して、既述したように吸込空気切替スイッチ１７２、風量調整スイッチ１７４等の出力信号に適った空調制御と（ステップＳ１１６）、操車者のアクセル操作に応じたガス供給を伴う走行制御を実行する（ステップＳ１１９）。
【００５０】
以上説明した図４の実施形態の実施形態の車室内流入制限制御によっても、車室前方領域３０に留まった漏洩水素ガスの車室２０への入り込みの抑制等の既述した効果を奏することができる。
【００５１】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、或いは、上述の効果の一部又は全部を達成するために、適宜、差し替えや、組み合わせを行うことが可能である。また、その技術的特徴が本明細書中に必須なものとして説明されていなければ、適宜、削除することが可能である。
【００５２】
上記した実施形態の車両１０は、ステップＳ１３０の内気優先処理において、内外気切替機構１８２の切替制御（Ｓ１制御）とブロアー１８４の風量制御（Ｓ２）のいずれか一方の制御を行うが、両制御を同時並行的に行うようにしてもよい。
【００５３】
上記した実施形態の車両１０では、車室２０への漏洩水素ガスの入り込みを抑制するに当たり、ステップＳ１３０の内気優先処理において、ブロアー１８４の風量制御を経た吹出風量のゼロ推移（Ｓ２処理）を図ったが、これに限らない。例えば、操作者が風量調整スイッチ１７４を操作して大風量側の風量に設定していても、その設定風量を半減したり、風量を最小風量に制限してもよい。
【００５４】
上記した実施形態の車両１０は、報知ランプ１６０の点灯制御を通して、水素ガスの漏洩危惧の旨を報知する際に（ステップＳ１２０）、操作者の空調意図に反して空調を制限している旨の報知を合わせてしてもよい。こうすれば、空調を意図して吸込空気切替スイッチ１７２や風量調整スイッチ１７４等を操作する操作者の違和感を軽減できる。
【００５５】
上記した実施形態の車両１０において、次のようにセンサー故障の判定を行うようにしてもよい。車両１０が基準車速ｖ０（５〜１０ｋｍ／ｈ）以上の車速で前進走行していれば、既述したように、車両前方から車両後方に向けての空気流の影響を受けて、車室床下領域４０の側から車室前方領域３０の側へは拡散し難くなると共に、カウル２７からの車外への排出により、車室前方領域３０には漏洩水素ガスは留まりがたい。よって、車両１０が基準車速ｖ０（５〜１０ｋｍ／ｈ）以上の車速で前進走行している状況下では、車室前方領域３０での漏洩水素ガス濃度は、既述した第１基準濃度ｓ０１（３．０〜４．０％）より小さいことが想定される。よって、車両１０が基準車速ｖ０（５〜１０ｋｍ／ｈ）以上の車速で前進走行している状況下で第１ガスセンサー１４０が検出した車室前方領域３０の水素ガス濃度ｓ１が第１基準濃度ｓ０１（３．０〜４．０％）を超えていれば、第１ガスセンサー１４０の故障と判定することが可能となる。
【符号の説明】
【００５６】
１０…車両
１１…アンダーボディー
２０…車室
２６…フード
２７…カウル
３０…車室前方領域
４０…車室床下領域
５０…インパネ
１００…燃料電池
１１１…第１ガスタンク
１１２…第２ガスタンク
１１６…ガス供給ポート
１２１…水素第１供給管
１２２…水素第２供給管
１２３…開閉バルブ
１４０…第１ガスセンサー
１５０…第２ガスセンサー
１６０…報知ランプ
１７０…空調設定スイッチ群
１７２…吸込空気切替スイッチ
１７４…風量調整スイッチ
１８０…エアコンユニット
１８２…内外気切替機構
１８４…ブロアー
１８６…吹出口変更機構
１９０…空調機器群
１９１…コンデンサー
１９２…ファン
１９３…コンプレッサー
１９４…エバポレーター
１９５…ヒーターコア
２００…制御装置
ｖ…前進車速
ｓ０１…基準濃度
ｖ０…基準車速
ｓ１…水素ガス濃度
ｓ２…水素ガス濃度
ＦＷ…前輪
ＲＷ…後輪
【図１】
2015063265.tif 000003
【図２】
2015063265.tif 000004
【図３】
2015063265.tif 000005
【図４】
2015063265.tif 000006
【図５】
2015063265.tif 000007